(57)【特許請求の範囲】
【請求項１】
接着面と該接着面とは反対側の保護面とを有する保護フィルムの接着面を、画像表示面を有する画像表示装置の画像表示面に貼り付けるために使用される、保護フィルム貼付用治具であって、
前記接着面が外側に向くように、前記保護フィルムのうち前記接着面以外の被保持部分を着脱可能に保持するフィルム保持部と、
前記画像表示面が所定の空間をおいて前記接着面に対向するように、前記画像表示装置を着脱可能に取り付ける装置取付部と、を備え、
前記保護面は、互いに所定の距離をおいた複数の保護面部分を有し、
前記フィルム保持部は、前記保護フィルムを前記フィルム保持部に保持させた状態において、それぞれが各保護面部分に粘着する複数の粘着部を有する、保護フィルム貼付用治具。
【請求項２】
前記フィルム保持部は、前記保護フィルムの周囲の少なくとも一部を固定する仮固定手段を有する、請求項１に記載の保護フィルム貼付用治具。
【請求項３】
前記フィルム保持部は、前記保護面に向けて開口する押圧用貫通孔を有する、請求項１又は２に記載の保護フィルム貼付用治具。
【請求項４】
前記押圧用貫通孔は、前記保護フィルムの縦方向又は横方向に伸びている、請求項３に記載の保護フィルム貼付用治具。
【請求項５】
前記保護フィルムが前記フィルム保持部に保持された状態において、
前記接着面は、前記接着面から剥がすことができる複数の接着面保護シートで覆われており、
前記画像表示面が前記接着面に対向する方向に前記押圧用貫通孔を見た場合において、前記押圧用貫通孔は前記複数の接着面保護シートのうちいずれかの接着面保護シート内にある、請求項３又は４に記載の保護フィルム貼付用治具。
【請求項６】
前記フィルム保持部は、前記保護フィルムが前記画像表示面に貼付するように、前記保護面を前記画像表示面に向けて押圧する押圧手段を有する、請求項１から５のいずれかに記載の保護フィルム貼付用治具。
【請求項７】
前記保護フィルムには、フィルム貫通孔が形成されており、
前記フィルム保持部は、前記接着面が前記画像表示面に対して位置決めされるように、
前記フィルム貫通孔に挿通する挿通棒を有する、請求項１から６のいずれかに記載の保護フィルム貼付用治具。
【請求項８】
前記挿通棒は、前記フィルム貫通孔に対して嵌合する大きさである、請求項７に記載の保護フィルム貼付用治具。
【請求項９】
前記画像表示面は、湾曲状の画面周囲部を有し、
前記保護フィルムは、前記画面周囲部に適合する湾曲状のフィルム周囲部を有し、
前記フィルム保持部は、前記保護フィルムのうち、前記フィルム周囲部以外を保持する、請求項１から８のいずれかに記載の保護フィルム貼付用治具。
【発明の詳細な説明】
【技術分野】
【０００１】
本発明は、保護フィルムの接着面を、画像表示装置の画像表示面に貼り付けるために使用される、保護フィルム貼付用治具に関する。
【背景技術】
【０００２】
従来、携帯電話、スマートフォンなどの画像表示装置の画像表示面を保護するための保護フィルムが製造されている。このような保護フィルムは、携帯電話、スマートフォンなどの画像表示面のサイズに合わせて設計されている。このような保護フィルムは、単なる画像表示面の保護だけでなく、反射光の防止など、様々な目的のために設けられている。このような目的に応じて、特定の寸法の画像表示面に対応する多種の保護フィルムが製造されている。このため、携帯電話等の購入者や販売員などの利用者は、購入者の目的に応じた保護フィルムを画像表示面に貼り付ける。特許文献１は、このような保護フィルムの一例を、開示している。
【０００３】
上述したように、保護フィルムは手作業で画像表示面に貼り付けられる。表示面から外れることなく保護フィルムを貼り付けるには、利用者は、忍耐強く、落ち着いて、慎重に貼り付け作業を行う必要がある。つまり、利用者に高度な技量が要求される。一方、それでも、貼り付け作業に失敗する場合がある。その場合、利用者は、画像表示面から保護フィルムを一旦剥がして再度貼り付け作業を行う。このような作業が繰り返されると、保護フィルムの粘着力が失われて、保護フィルム自体が使用できなくなってしまう。そうすると、購入者は、更に比較的高価な保護フィルムを購入せざるを得なくなる。
【０００４】
そこで、利用者が、画像表示面に対して保護フィルムを正確かつ容易に貼り付けることを可能にする保護フィルム貼付用治具が提案されている（例えば、特許文献２）。
【先行技術文献】
【特許文献】
【０００５】
【特許文献１】特開２００４−１１７７９０号公報
【特許文献２】特開２０１４−００２２４６号公報
【発明の概要】
【発明が解決しようとする課題】
【０００６】
しかし、特許文献２に記載の保護フィルム貼付用治具で扱える保護フィルムは、これより大きい保持フィルムで保持するので、保持フィルムのコストがかさむという課題がある。
また、保持フィルムの周囲を固定するので、保持フィルムは平らなシートに限定され、保護フィルムも平らなシートに限定される。このため、湾曲状の画面周囲部を有する画像表示面では、画面周囲部を除いた部分しか保護フィルムで保護することができないし、また、保護フィルムは湾曲状の部分から剥がれやすいという課題がある。
本発明は、画像表示面に対して保護フィルムを正確かつ容易に貼り付けることを可能にする保護フィルム貼付用治具を提供することにある。
【課題を解決するための手段】
【０００７】
本発明に係る保護フィルム貼付用治具は、接着面と該接着面とは反対側の保護面とを有する保護フィルムの接着面を、画像表示面を有する画像表示装置の画像表示面に貼り付けるために使用される、保護フィルム貼付用治具であって、前記接着面が外側に向くように、前記保護フィルムのうち前記接着面以外の被保持部分を着脱可能に保持するフィルム保持部と、前記画像表示面が所定の空間をおいて前記接着面に対向するように、前記画像表示装置を着脱可能に取り付ける装置取付部と、を備える。
【０００８】
前記保護面は、互いに所定の距離をおいた複数の保護面部分を有し、前記フィルム保持部は、前記保護フィルムを前記フィルム保持部に保持させた状態において、それぞれが各保護面部分に粘着する複数の粘着部を有することが好ましい。
【０００９】
前記フィルム保持部は、前記保護フィルムの周囲の少なくとも一部を固定する仮固定手段を有することが好ましい。
【００１０】
前記フィルム保持部は、前記保護面に向けて開口する押圧用貫通孔を有することが好ましい。
【００１１】
前記押圧用貫通孔は、前記保護フィルムの縦方向又は横方向に伸びていることが好ましい。
【００１２】
前記保護フィルムが前記フィルム保持部に保持された状態において、前記接着面は、前記接着面から剥がすことができる複数の接着面保護シートで覆われており、前記画像表示面が前記接着面に対向する方向に前記押圧用貫通孔を見た場合において、前記押圧用貫通孔は前記複数の接着面保護シートのうちいずれかの接着面保護シート内にあることが好ましい。
【００１３】
前記フィルム保持部は、前記保護フィルムが前記画像表示面に貼付するように、前記保護面を前記画像表示面に向けて押圧する押圧手段を有することが好ましい。
【００１４】
前記保護フィルムには、フィルム貫通孔が形成されており、前記フィルム保持部は、前記接着面が前記画像表示面に対して位置決めされるように、前記フィルム貫通孔に挿通する挿通棒を有することが好ましい。
【００１５】
前記挿通棒は、前記フィルム貫通孔に対して嵌合する大きさであることが好ましい。
【００１６】
前記画像表示面は、湾曲状の画面周囲部を有し、前記保護フィルムは、前記画面周囲部に適合する湾曲状のフィルム周囲部を有し、前記フィルム保持部は、前記保護フィルムのうち、前記フィルム周囲部以外を保持することが好ましい。
【発明の効果】
【００１７】
本発明によれば、画像表示面に対して保護フィルムを正確かつ容易に貼り付けることを可能にする保護フィルム貼付用治具を提供することができる。
【図面の簡単な説明】
【００１８】
【図１】本発明に係る保護フィルム貼付用治具の垂直断面図である。
【図２】図１に示す保護フィルム貼付用治具の平面図である。
【図３】図１に示す保護フィルム貼付用治具で用いる保護フィルムの平面図である。
【図４】図１に示す保護フィルム貼付用治具の使用方法を説明するための垂直断面図である。
【図５】図４に続く保護フィルム貼付用治具の使用方法を説明するための垂直断面図である。
【図６】本発明に係る別の保護フィルム貼付用治具の垂直断面図である。
【発明を実施するための形態】
【００１９】
図１から図５を参照して、本発明に係る保護フィルム貼付用治具の説明をする。
図１に示すように、保護フィルム貼付用治具１０は、保護フィルム１００を画像表示装置２００に貼り付けるために使用される。
【００２０】
画像表示装置２００は、携帯電話、スマートフォンなどであり、画像表示面２２０とフレーム部２１０とを有する。
画像表示面２２０は、矩形状の平面部２２２と、その周囲の湾曲状の画面周囲部２２４を有する。平面部２２２には、保護フィルムでは覆わないことが好ましいカメラや操作ボタン等の露出推奨部品が配置されている。
フレーム部２１０は、板状のフレームで一方の表面に画像表示面２２０が形成されている。
【００２１】
図３に示すように、保護フィルム１００は、シート状のフィルムで、略矩形の平らな平面部１３２と、画面周囲部２２４（図１参照）に適合する湾曲状のフィルム周囲部１３４とを有する。なお、保護フィルム１００は、フィルム周囲部１３４を有するとして説明するが、フィルム周囲部１３４がない平坦な基材を柔軟化（例えば、薄膜化したり、ウレタンなどの柔軟材料で形成したり）したものであってもよい。
なお、保護フィルム１００には、フィルム周囲部１３４がない場合、保護フィルム１００の大きさは、画像表示面２２０の平面部２２２の大きさと同じであってもよいし、平面部２２２と画面周囲部２２４とを含む大きさと同じであってもよい。保護フィルム１００の大きさが平面部２２２と画面周囲部２２４とを含む大きさと同じである場合、保護フィルム１００の柔軟性により、保護フィルム１００の周囲が画面周囲部２２４の湾曲形状に添うように弾性変形することになる。
【００２２】
保護フィルム１００は、接着面１１０と、接着面１１０とは反対側の保護面１１２とを有する。接着面１１０に埃やゴミが付着しないように、保護フィルム１００は、接着面１１０に、接着面１１０から剥がすことができるセパレータが貼られた状態で流通し、画像表示装置２００に貼付する際に剥がされる。
図３に示すセパレータは、縦方向（図３の紙面において左右方向）に長い接着面保護シート１５０、接着面保護シート１５１及び接着面保護シート１５２で構成されている。なお、セパレータを構成する接着面保護シートの数は１つでも２つでも４つ以上もよい。また、セパレータは、横方向（図３の紙面において上下方向）に長い複数の接着面保護シートで構成してもよい。
また、後述するように、保護フィルム１００がフィルム保持部２０に保持された状態において画像表示面２２０が接着面１１０に対向する方向に押圧用貫通孔６０を見た場合、押圧用貫通孔６０は接着面保護シート１５０内にあり、また、押圧用貫通孔６１及び押圧用貫通孔６２は、それぞれ、接着面保護シート１５１及び接着面保護シート１５２内にある。
【００２３】
保護面１１２は、保護面部分１４２及び保護面部分１４４を有する。保護面部分１４２と保護面部分１４４との間には、所定の距離があり、保護面部分１４２及び保護面部分１４４は、それぞれ、後述する粘着部４２及び粘着部４４と同じ位置関係にある。
平面部１３２には、画像表示装置２００の露出推奨部品に対応した位置に露出推奨部品を覆わないように、フィルム貫通孔１２２及びフィルム貫通孔１２４が形成されている。
【００２４】
図１及び図２に示すように、保護フィルム貼付用治具１０は、フィルム保持部２０と、装置取付部３０とを備える。
保護フィルム貼付用治具１０は、中央に保護フィルム１００と画像表示装置２００とを収容可能な矩形状の凹部１２が形成されている。装置取付部３０の周囲には、凹部１２の底部と同じ深さのスリット３４が形成されているが、スリット３４は無くても良い。保護フィルム貼付用治具１０は、例えば、フィルム保持部２０及び装置取付部３０の表面形状を、０．５〜１．０ｍｍの厚さの樹脂シートなどからプレス等で賦形したものであってもよい。
保護フィルム貼付用治具１０は、特に限定されないが、例えば、白色、黒色、メタリック色の材料で形成してもよいし、また、保護フィルム１００の接着面１１０を画像表示面２２０に貼合する状況が確認できるように、透過性を有する材料で形成してもよい。
保護フィルム貼付用治具１０は、保護フィルム１００を画像表示装置２００に貼付する際に、フィルム保持部２０と装置取付部３０とを備えていればよく、その後、保護フィルム貼付用治具１０からフィルム保持部２０が取り外されて、装置取付部３０が画像表示装置２００の周辺保護部材（例えば、画像表示装置２００に傷がつくことを防止する画像表示装置２００のカバー）として機能させてもよい。
【００２５】
押圧用貫通孔６０は、後述する粘着部４２と粘着部４４との間に形成されている。
凹部１２の底面には、保護フィルム１００を保持する際の位置決めとなる複数の挿通棒５２と挿通棒５４とが穿設されている。挿通棒５２、５４は、フィルム貫通孔に対して嵌合する大きさである。
凹部１２の底面には、保護フィルム貼付用治具１０の補強のための円形状や長円形状の凹部が形成されていてもよい。
複数の挿通棒５２と挿通棒５４との間には、粘着部４２及び粘着部４４が位置している。また、凹部１２の周囲の側壁には段部３２が形成されている。
【００２６】
フィルム保持部２０は、保護フィルム１００の接着面１１０が外側（図１の紙面において上側）に向くように、保護フィルム１００を着脱可能に保持する。具体的には、フィルム保持部２０は、保護フィルム貼付用治具１０の凹部１２の底面に貼られた粘着部４２と粘着部４４とを含む。
フィルム保持部２０は、粘着部４２と粘着部４４との間に形成された開口する押圧用貫通孔６０を有する。押圧用貫通孔６１及び押圧用貫通孔６２は、押圧用貫通孔６０を間において左右に平行となる位置に形成されている。押圧用貫通孔６０、押圧用貫通孔６１及び押圧用貫通孔６２は、保護フィルム１００がフィルム保持部２０に保持されたフィルム保持状態において、保護面１１２に向けて開口している。換言すると、保護フィルム１００がフィルム保持部２０に保持された状態において画像表示面２２０が接着面１１０に対向する方向に押圧用貫通孔６０を見た場合、押圧用貫通孔６０は接着面保護シート１５０内にあり、また、押圧用貫通孔６１及び押圧用貫通孔６２は、それぞれ、接着面保護シート１５１及び接着面保護シート１５２内にある。
押圧用貫通孔６０、押圧用貫通孔６１及び押圧用貫通孔６２は、利用者の指ｆ（図５参照）が入る程度の幅を有することが好ましい。
また、押圧用貫通孔６０、押圧用貫通孔６１及び押圧用貫通孔６２は、フィルム保持状態において、保護フィルム１００の長手方向（保護フィルムの縦方向）に長い長孔であることが好ましいが、押圧用貫通孔６０、押圧用貫通孔６１及び押圧用貫通孔６２は、保護フィルム１００の横方向に伸びていてもよい。押圧用貫通孔６０は、粘着部４２と粘着部４４とに伸びる長孔形状を有することが好ましい。
【００２７】
フィルム保持部２０は、仮固定手段として、保護フィルム１００の周囲を引っかける爪部３５を有する。
なお、フィルム保持部２０は、粘着部４２及び粘着部４４と、爪部３５とを併用しているとして説明するが、図６に示すように、爪部３５を省略してもよいし、粘着部４２及び粘着部４４のみを用いてもよい。また、爪部３５は、保護フィルムの周囲の一部を固定するとして説明したが、フィルム貫通孔１２２及びフィルム貫通孔１２４の周囲の少なくともいずれかを固定してもよいし、両者を固定してもよい。
【００２８】
装置取付部３０は、段部３２が形成する嵌合部分に画像表示装置２００のフレーム部２１０を嵌め込むことにより、画像表示装置２００が取り付けられた状態にする取付部である。
画像表示装置２００を装置取付部３０に取り付けても、画像表示装置２００は凹部１２の底面には接触しないように、段部３２は凹部１２の底面から所定の距離を置いた位置に形成されている。また、段部３２には、画像表示装置２００の側面に接触する複数の凸部が形成されていても良い。
【００２９】
図１及び図５を参照して、保護フィルム貼付用治具１０の使用方法の説明をする。
図１に示すように、先ず、保護面１１２が凹部１２の底面に接触するように、保護フィルム１００をフィルム保持部２０に保持させる。換言すると、フィルム保持部２０は、保護フィルム１００のうち接着面１１０以外の被保持部分を着脱可能に保持する。
具体的には、挿通棒５２及び挿通棒５４をそれぞれフィルム貫通孔１２２及びフィルム貫通孔１２４に嵌合させると共に、保護面部分１４２及び保護面部分１４４を粘着部４２、４４に押しつけることにより、保護フィルム１００をフィルム保持部２０に保持させる。換言すると、フィルム保持部２０は、保護フィルム１００のうち、フィルム周囲部１３４以外である平面部１３２を保持するが、セパレータの接着面保護シート１５０、接着面保護シート１５１、接着面保護シート１５２には接触していない。
このとき、接着面１１０が凹部１２の開口側に向いているので、フィルム周囲部１３４は凹部１２の底面から離れつつ、平面部１３２は凹部１２の底面に略密着する。
また、挿通棒５２及び挿通棒５４はそれぞれフィルム貫通孔１２２及びフィルム貫通孔１２４に嵌合するので、保護フィルム１００は装置取付部３０に対して精度よく位置決めされ、平面部１３２のフィルム貫通孔１２２とフィルム貫通孔１２４との間は、張られた状態になる。
また、押圧用貫通孔６０、押圧用貫通孔６１及び押圧用貫通孔６２は、保護面１１２によって塞がれる。
また、利用者が保護フィルム１００をフィルム保持部２０に保持させるように保護フィルム１００を手などで直接触っても、保護フィルム１００の接着面１１０にセパレータが貼られているので、接着面１１０には埃やゴミが付着しない。
【００３０】
次に、保護フィルム１００からセパレータの中央の接着面保護シート１５０を剥がし、接着面１１０の中央部分を露出させる。このとき、保護フィルム１００からセパレータの接着面保護シート１５１、接着面保護シート１５２はまだ剥がさない。セパレータの接着面保護シート１５１、接着面保護シート１５２は、後述する、画像表示装置２００を保護フィルム貼付用治具１０から取り外してから、剥がす。
これは、中央のセパレータの接着面保護シート１５０のみを剥離して、後述する保護フィルム貼付用治具１０を使用して位置調整して貼り付け、その後、画像表示装置２００を保護フィルム貼付用治具１０から取り出した後に、左右の接着面保護シート１５１、接着面保護シート１５２を順番に剥離することにより、保護フィルム１００の粘着面に埃が付着しにくくすることができ、かつ、一度に保護フィルム１００を全面貼合するよりも、貼りやすくすることができる。
これにより、保護フィルム１００はフィルム保持部２０によって保持されているので、セパレータの接着面保護シート１５０を剥がす際に、保護フィルム１００がフィルム保持部２０から剥がれたり、ずれたりする恐れはない。さらに、接着面保護シート１５１及び接着面保護シート１５２が接着面１１０を覆っているので、接着面保護シート１５１及び接着面保護シート１５２を押さえながら、接着面保護シート１５０を剥がすことができる。
【００３１】
次に、フィルム保持部２０に保持された保護フィルム１００の接着面１１０に対向するように、画像表示装置２００を装置取付部３０に取り付ける。これにより、画像表示面２２０と接着面１１０とが対向し、かつ、画像表示面２２０と接着面１１０との間に所定の空間が形成されるので、画像表示装置２００を装置取付部３０に取り付ける際に、画像表示面２２０が誤って接着面１１０に張り付くことはない。
また、保護フィルム１００がフィルム保持部２０に保持された状態において画像表示面２２０が接着面１１０に対向する方向に押圧用貫通孔６０を見た場合、押圧用貫通孔６０は接着面保護シート１５０内にある。
【００３２】
次に、画像表示面２２０を接着面１１０に対向するように、段部３２が形成する嵌合部分に画像表示装置２００のフレーム部２１０を嵌め込む。これにより、保護フィルム１００に対して画像表示装置２００が位置決めされた状態、かつ、画像表示面２２０と接着面１１０との間に所定の距離を置いた状態で、画像表示装置２００が装置取付部３０に取り付けられる。
【００３３】
次に、図５に示すように、保護フィルム１００及び画像表示装置２００が保護フィルム貼付用治具１０から外れないように、保護フィルム貼付用治具１０の上下を反転させる。
そして、接着面１１０が画像表示面２２０に接着するように、押圧用貫通孔６０から入れた利用者の指ｆで保護面１１２を押す。このとき、指ｆは、押圧用貫通孔６０の中央から長手方向の両端に向けてスライドさせるとよい。
このとき、指ｆが、粘着部４２、粘着部４４や挿通棒５２、挿通棒５４の近傍にスライドすると、挿通棒５２、５４の周囲の保護フィルム１００は、強く画像表示面２２０に押しつけられるので、保護面部分１４２及び保護面部分１４４はそれぞれ粘着部４２及び粘着部４４から剥がれ、また、挿通棒５２及び挿通棒５４はそれぞれフィルム貫通孔１２２及びフィルム貫通孔１２４から抜ける場合があるが、保護フィルム１００の中央はすでに画像表示面２２０に貼付されているので、保護フィルム１００は、画像表示面２２０に対してずれたり画像表示面２２０から剥がれたりしない。
そして、セパレータの接着面保護シート１５１及び接着面保護シート１５２を剥がし、保護フィルム１００の両端を画像表示面２２０に貼付する。この時、保護フィルム１００の中央はすでに画像表示面２２０に貼付されているので、画像表示面２２０に対してずれたり画像表示面２２０から剥がれたりしない。
そして、画像表示装置２００を保護フィルム貼付用治具１０から取り外す。
その後、画像表示装置２００からセパレータの接着面保護シート１５１、接着面保護シート１５２を剥がす。
【００３４】
保護フィルム貼付用治具１０は、接着面１１０が外側に向くように、保護フィルム１００を着脱可能に保持するフィルム保持部２０と、画像表示面２２０が所定の空間をおいて接着面１１０に対向するように、画像表示装置２００を着脱可能に取り付ける装置取付部３０とを備えているので、画像表示面２２０に対して保護フィルム１００を正確かつ容易に貼り付けることができる。
【００３５】
また、画像表示面２２０は、湾曲状の画面周囲部２２４を有し、保護フィルム１００は、画面周囲部２２４に適合する湾曲状のフィルム周囲部１３４を有していても、フィルム保持部２０は、保護フィルム１００のうち、フィルム周囲部１３４以外の平面部１３２を保持する。このため、フィルム周囲部１３４を画面周囲部２２４に正確に位置合わせをすることができる。
【００３６】
図６に示すように、保護フィルム貼付用治具１０のフィルム保持部２０は、保護フィルム１００が画像表示面２２０に貼付するように、保護面１１２を画像表示面２２０に向けて押圧する押圧手段を有するようにしてもよい。押圧手段は、例えば、押圧用貫通孔６０内に設けられ、弾性体で形成されたかまぼこ状の押圧部材７０であり、押圧部材７０で保護フィルム１００を押しつけることにより、広い範囲を同時的に押圧することができる。
【符号の説明】
【００３７】
１０  保護フィルム貼付用治具
１２  凹部
２０  フィルム保持部
３０  装置取付部
３２  段部
３４  スリット
３５  爪部（仮固定手段）
４２、４４  粘着部
５２、５４  挿通棒
６０  押圧用貫通孔
７０  押圧部材
１００  保護フィルム
１１０  接着面
１１２  保護面
１２２、１２４  フィルム貫通孔
１３２  平面部
１３４  フィルム周囲部
１４２、１４４  保護面部分
１５０、１５１、１５２  セパレータの接着面保護シート
２００  画像表示装置
２１０  フレーム部
２２０  画像表示面
２２２  平面部
２２４  画面周囲部
【要約】
【課題】画像表示面に対して保護フィルムを正確かつ容易に貼り付けることを可能にする保護フィルム貼付用治具を提供すること。
【解決手段】保護フィルム貼付用治具１０は、接着面１１０が外側に向くように、保護フィルム１００を着脱可能に保持するフィルム保持部２０と、画像表示面２２０が所定の空間をおいて接着面１１０に対向するように、画像表示装置２００を着脱可能に取り付ける装置取付部３０とを備えている。画像表示面２２０は、湾曲状の画面周囲部２２４を有する。保護フィルム１００は、画面周囲部２２４に適合する湾曲状のフィルム周囲部１３４を有する。フィルム保持部２０は、保護フィルム１００のうち、フィルム周囲部１３４以外の平面部１３２を保持する。
【選択図】図１【図１】
0005845370.tif 000002
【図２】
0005845370.tif 000003
【図３】
0005845370.tif 000004
【図４】
0005845370.tif 000005
【図５】
0005845370.tif 000006
【図６】
0005845370.tif 000007